(57)【特許請求の範囲】
【請求項１】
下地基材に堆積される塗料堆積物を前記下地基材から剥離する塗膜の剥離方法であって、
ラジカル共重合性不飽和樹脂と重合性単量体の混合物を主成分とし、前記混合物は、前記ラジカル共重合性不飽和樹脂を不飽和ポリエステル樹脂とし前記重合性単量体をスチレンとした混合物、又は前記ラジカル共重合性不飽和樹脂を不飽和ポリエステル樹脂とし前記重合性単量体をスチレンと（メタ）アクリル酸系モノマーのブレンドとした混合物、又は前記ラジカル共重合性不飽和樹脂をビニルエステル樹脂とし前記重合性単量体をスチレンとした混合物、又は前記ラジカル共重合性不飽和樹脂をビニルエステル樹脂とし前記重合性単量体を（メタ）アクリル酸系モノマーとした混合物、又は前記ラジカル共重合性不飽和樹脂を不飽和ポリエステル樹脂とビニルエステル樹脂のブレンドとし前記重合性単量体をスチレン若しくは（メタ）アクリル酸系モノマーのいずれかとした混合物、又は前記ラジカル共重合性不飽和樹脂を不飽和ポリエステル樹脂とビニルエステル樹脂のブレンドとし前記重合性単量体をスチレンと（メタ）アクリル酸系モノマーのブレンドとした混合物であり、硬化物とした場合の破断までの引張り伸び率が、１０％以上の樹脂組成物を、剥離用皮膜として前記下地基材上に形成して、前記剥離用皮膜を硬化させ、前記剥離用皮膜上に塗料堆積物が堆積された後に、前記下地基材から前記剥離用皮膜を引き剥がすことを特徴とする塗膜の剥離方法。
【請求項２】
剥離用皮膜上に剥がししろが接着され、当該剥がししろが接着された剥離用皮膜上に塗料堆積物が堆積されるものであり、
前記剥がししろを引っ張ることで、下地基材から前記剥離用皮膜が引き剥がされることを特徴とする請求項１記載の塗膜の剥離方法。
【請求項３】
剥がししろ近辺に堆積された塗料堆積物に切り込みを形成して前記剥がししろを露出させ、当該露出させた剥がししろを引っ張ることで、下地基材から前記剥離用皮膜が引き剥がされることを特徴とする請求項２記載の塗膜の剥離方法。
【請求項４】
剥離用皮膜を形成する前に、下地基材に離型剤を塗布しておき、前記剥離用皮膜には揺変性付与剤が含有されていることを特徴とする請求項１乃至３のいずれか記載の塗膜の剥離方法。
【請求項５】
下地基材に堆積される塗料堆積物を前記下地基材から剥離するための前記下地基材をマスキングする塗膜剥離用マスキング材であって、
ラジカル共重合性不飽和樹脂と重合性単量体の混合物を主成分とする熱硬化性樹脂組成物であり、前記混合物が、前記ラジカル共重合性不飽和樹脂を不飽和ポリエステル樹脂とし前記重合性単量体をスチレンとした混合物、又は前記ラジカル共重合性不飽和樹脂を不飽和ポリエステル樹脂とし前記重合性単量体をスチレンと（メタ）アクリル酸系モノマーのブレンドとした混合物、又は前記ラジカル共重合性不飽和樹脂をビニルエステル樹脂とし前記重合性単量体をスチレンとした混合物、又は前記ラジカル共重合性不飽和樹脂をビニルエステル樹脂とし前記重合性単量体を（メタ）アクリル系酸モノマーとした混合物、又は前記ラジカル共重合性不飽和樹脂を不飽和ポリエステル樹脂とビニルエステル樹脂のブレンドとし前記重合性単量体をスチレン若しくは（メタ）アクリル酸系モノマーのいずれかとした混合物、又は前記ラジカル共重合性不飽和樹脂を不飽和ポリエステル樹脂とビニルエステル樹脂のブレンドとし前記重合性単量体をスチレンと（メタ）アクリル酸系モノマーのブレンドとした混合物であり、硬化剤、硬化促進剤、及び揺変性付与剤が配合されており、硬化物とした場合の破断までの引張り伸び率が、１０％以上であることを特徴とする塗膜剥離用マスキング材。
【請求項６】
下地基材に堆積される塗料堆積物を前記下地基材から剥離するための前記下地基材をマスキングする塗膜剥離用マスキング材であって、
ラジカル共重合性不飽和樹脂と重合性単量体の混合物を主成分とする熱硬化性樹脂組成物であり、前記混合物が、前記ラジカル共重合性不飽和樹脂を不飽和ポリエステル樹脂とし前記重合性単量体をスチレンとした混合物、又は前記ラジカル共重合性不飽和樹脂を不飽和ポリエステル樹脂とし前記重合性単量体をスチレンと（メタ）アクリル酸系モノマーのブレンドとした混合物、又は前記ラジカル共重合性不飽和樹脂をビニルエステル樹脂とし前記重合性単量体をスチレンとした混合物、又は前記ラジカル共重合性不飽和樹脂をビニルエステル樹脂とし前記重合性単量体を（メタ）アクリル酸系モノマーとした混合物、又は前記ラジカル共重合性不飽和樹脂を不飽和ポリエステル樹脂とビニルエステル樹脂のブレンドとし前記重合性単量体をスチレン若しくは（メタ）アクリル酸系モノマーのいずれかとした混合物、又は前記ラジカル共重合性不飽和樹脂を不飽和ポリエステル樹脂とビニルエステル樹脂のブレンドとし前記重合性単量体をスチレンと（メタ）アクリル酸系モノマーのブレンドとした混合物であり、硬化剤、硬化促進剤、及び揺変性付与剤が配合されており、硬化物とした場合の破断までの引張り伸び率が、２５％以上であることを特徴とする塗膜剥離用マスキング材。
【請求項７】
熱硬化性樹脂組成物には、揺変性付与助剤が添加されていることを特徴とする請求項５又は６記載の塗膜剥離用マスキング材。
【請求項８】
熱硬化性樹脂組成物には、空気乾燥性付与剤が添加されていることを特徴とする請求項５乃至７のいずれか記載の塗膜剥離用マスキング材。
【請求項９】
ラジカル共重合不飽和樹脂に対する重合性不飽和単量体の配合量は、前記ラジカル共重合性不飽和樹脂と前記重合性不飽和単量体の合計１００重量部に対して、前記重合性不飽和単量体が、２０〜７０重量部であることを特徴とする請求項５乃至８のいずれか記載の塗膜剥離用マスキング材。
【請求項１０】
熱硬化性樹脂組成物と揺変性付与剤との配合比は、前記熱硬化性樹脂組成物と前記揺変性付与剤の合計１００重量部に対して、前記揺変性付与剤が０．５重量部〜６重量部であることを特徴とする請求項５乃至９のいずれか記載の塗膜剥離用マスキング材。
【発明の詳細な説明】
【技術分野】
【０００１】
本発明は、塗膜の剥離方法及び塗膜剥離用マスキング材に係り、特に、塗装作業の際に、塗装冶工具や塗装用ブースの壁面、床等に付着した堆積塗膜を容易に剥離することができる塗膜の剥離方法及び塗膜剥離用マスキング材に関する。
【背景技術】
【０００２】
［従来の技術］
従来、塗装治工具や塗装用ブースの壁面、床等、本来不要な塗膜が付着し、堆積したものを除去する剥離方法には以下のものがある。
（１）トリクロロエチレン、ジクロロメタンなどに代表されるハロゲン系炭化水素を洗浄剤として用いて塗膜を除去する方法。
（２）有機アルカリや無機アルカリを煮沸して塗膜を剥離する方法。
（３）洗浄剤などを使用する際に、超音波を照射して塗膜の剥離を促進する方法。
（４）ケレン・ハツリ機具などを用いて物理的に塗膜を剥がす方法。
【０００３】
また堆積物除去を容易にするため、あらかじめグリースを塗布する、フィルム、テープを貼る方法等が取られている。
【０００４】
［関連技術］
尚、関連する先行技術として、特開２００１−１２１０７７号公報「自動車車体の塗装方法」（本田技研工業株式会社）［特許文献１］、特開２００１−０１７９１２号公報「自動車車体の塗装方法」（本田技研工業株式会社）［特許文献２］、特開平０８−２６９３７２号公報「塗装面の保護フィルム形成用塗料及び車体塗装面の保護方法」（日産車体株式会社）［特許文献３］、特開平０７−０２４８３２号公報「塗装された熱可塑プラスチック製品の塗装膜剥離方法並びに再生処理方法及び装置」（株式会社日本製鋼所）［特許文献４］がある。
【０００５】
特許文献１には、ヒンジ部の外表面からマスキング材を剥がすことが示され、特許文献２には、開口部を開放してマスキング材を剥がすことが示され、特許文献３には、保護フィルム形成用塗料の乾燥後に容易に剥離することが示され、特許文献４には、熱硬化性プラスチック塗料を塗装し、加熱して引き延ばして塗装膜を剥離することが示されている。
【先行技術文献】
【特許文献】
【０００６】
【特許文献１】特開２００１−１２１０７７号公報
【特許文献２】特開２００１−０１７９１２号公報
【特許文献３】特開平０８−２６９３７２号公報
【特許文献４】特開平０７−０２４８３２号公報
【発明の概要】
【発明が解決しようとする課題】
【０００７】
しかしながら、上記従来の塗料の剥離方法では、次のような問題点があった。
第１に、塗装治工具や塗装用ブースの壁面、床等、本来不要な塗料が付着し堆積したものを除去するために、ハロゲン系炭化水素を洗浄剤として用いる方法では、発ガン性があり、またその安定性ゆえに、環境中に放出された後、分解されず残留するという問題があった。
【０００８】
第２に、ハロゲン系炭化水素や有機アルカリや無機アルカリを煮沸して剥離する方法、さらに洗浄剤などを使用する際、超音波を照射して剥離を促進する方法では、大規模な設備が必要であるという問題点があった。
【０００９】
第３に、ケレン・ハツリ機具などを用いて物理的に剥がす方法では、大掛かりな設備・機具は必要ないが、従事作業者への負担が大きく危険作業を伴ってしまうという問題点があった。
【００１０】
また、堆積物除去を容易にするために行うグリースの塗布では、塗装場所の周囲や製品などへ飛散するなど汚染の問題、熱や水に晒される場所では使用できないという問題点があり、フィルム、テープ等を貼る方法では、これに付着する塗膜の重さに耐えられず、形成された塗膜が剥落して周囲に飛散するなど、こまめに取りかえる必要性が生じ、大量の産業廃棄物が発生してしまうという問題点があった。
いずれの場合にも作業効率が低くその改善が望まれていた。
【００１１】
本発明は上記実情に鑑みて為されたもので、塗装冶工具や塗装用ブースの壁面、床等に付着した堆積塗膜を容易に剥離することができる塗膜の剥離方法及び塗膜剥離用マスキング材を提供することを目的とする。
【課題を解決するための手段】
【００１２】
上記従来例の問題点を解決するための本発明は、下地基材に堆積される塗料堆積物を前記下地基材から剥離する塗膜の剥離方法であって、ラジカル共重合性不飽和樹脂と重合性単量体の混合物を主成分とし、混合物は、ラジカル共重合性不飽和樹脂を不飽和ポリエステル樹脂とし重合性単量体をスチレンとした混合物、又はラジカル共重合性不飽和樹脂を不飽和ポリエステル樹脂とし重合性単量体をスチレンと（メタ）アクリル酸系モノマーのブレンドとした混合物、又はラジカル共重合性不飽和樹脂をビニルエステル樹脂とし重合性単量体をスチレンとした混合物、又はラジカル共重合性不飽和樹脂をビニルエステル樹脂とし重合性単量体を（メタ）アクリル酸系モノマーとした混合物、又はラジカル共重合性不飽和樹脂を不飽和ポリエステル樹脂とビニルエステル樹脂のブレンドとし重合性単量体をスチレン若しくは（メタ）アクリル酸系モノマーのいずれかとした混合物、又はラジカル共重合性不飽和樹脂を不飽和ポリエステル樹脂とビニルエステル樹脂のブレンドとし重合性単量体をスチレンと（メタ）アクリル酸系モノマーのブレンドとした混合物であり、硬化物とした場合の破断までの引張り伸び率が、１０％以上の樹脂組成物を、剥離用皮膜として下地基材上に形成して、剥離用皮膜を硬化させ、剥離用皮膜上に塗料堆積物が堆積された後に、下地基材から剥離用皮膜を引き剥がすことを特徴とする。
【００１３】
本発明は、上記塗膜の剥離方法において、剥離用皮膜上に剥がししろが接着され、当該剥がししろが接着された剥離用皮膜上に塗料堆積物が堆積されるものであり、剥がししろを引っ張ることで、下地基材から剥離用皮膜が引き剥がされることを特徴とする。
【００１４】
本発明は、上記塗膜の剥離方法において、剥がししろ近辺に堆積された塗料堆積物に切り込みを形成して剥がししろを露出させ、当該露出させた剥がししろを引っ張ることで、下地基材から剥離用皮膜が引き剥がされることを特徴とする。
【００１５】
本発明は、上記塗膜の剥離方法において、剥離用皮膜を形成する前に、下地基材に離型剤を塗布しておき、剥離用皮膜には揺変性付与剤が含有されていることを特徴とする。
【００１６】
本発明は、下地基材に堆積される塗料堆積物を下地基材から剥離するための下地基材をマスキングする塗膜剥離用マスキング材であって、ラジカル共重合性不飽和樹脂と重合性単量体の混合物を主成分とする熱硬化性樹脂組成物であり、混合物が、ラジカル共重合性不飽和樹脂を不飽和ポリエステル樹脂とし重合性単量体をスチレンとした混合物、又はラジカル共重合性不飽和樹脂を不飽和ポリエステル樹脂とし重合性単量体をスチレンと（メタ）アクリル酸系モノマーのブレンドとした混合物、又はラジカル共重合性不飽和樹脂をビニルエステル樹脂とし重合性単量体をスチレンとした混合物、又はラジカル共重合性不飽和樹脂をビニルエステル樹脂とし重合性単量体を（メタ）アクリル系酸モノマーとした混合物、又はラジカル共重合性不飽和樹脂を不飽和ポリエステル樹脂とビニルエステル樹脂のブレンドとし重合性単量体をスチレン若しくは（メタ）アクリル酸系モノマーのいずれかとした混合物、又は前記ラジカル共重合性不飽和樹脂を不飽和ポリエステル樹脂とビニルエステル樹脂のブレンドとし重合性単量体をスチレンと（メタ）アクリル酸系モノマーのブレンドとした混合物であり、硬化剤、硬化促進剤、及び揺変性付与剤が配合されており、硬化物とした場合の破断までの引張り伸び率が、１０％以上であることを特徴とする。
【００１７】
本発明は、下地基材に堆積される塗料堆積物を下地基材から剥離するための下地基材をマスキングする塗膜剥離用マスキング材であって、ラジカル共重合性不飽和樹脂と重合性単量体の混合物を主成分とする熱硬化性樹脂組成物であり、混合物が、ラジカル共重合性不飽和樹脂を不飽和ポリエステル樹脂とし重合性単量体をスチレンとした混合物、又はラジカル共重合性不飽和樹脂を不飽和ポリエステル樹脂とし重合性単量体をスチレンと（メタ）アクリル酸系モノマーのブレンドとした混合物、又はラジカル共重合性不飽和樹脂をビニルエステル樹脂とし重合性単量体をスチレンとした混合物、又はラジカル共重合性不飽和樹脂をビニルエステル樹脂とし重合性単量体を（メタ）アクリル酸系モノマーとした混合物、又はラジカル共重合性不飽和樹脂を不飽和ポリエステル樹脂とビニルエステル樹脂のブレンドとし重合性単量体をスチレン若しくは（メタ）アクリル酸系モノマーのいずれかとした混合物、又はラジカル共重合性不飽和樹脂を不飽和ポリエステル樹脂とビニルエステル樹脂のブレンドとし重合性単量体をスチレンと（メタ）アクリル酸系モノマーのブレンドとした混合物であり、硬化剤、硬化促進剤、及び揺変性付与剤が配合されており、硬化物とした場合の破断までの引張り伸び率が、２５％以上であることを特徴とする。
【００１８】
本発明は、上記塗膜剥離用マスキング材において、熱硬化性樹脂組成物には、揺変性付与助剤が添加されていることを特徴とする。
【００１９】
本発明は、上記塗膜剥離用マスキング材において、熱硬化性樹脂組成物には、空気乾燥性付与剤が添加されていることを特徴とする。
【００２０】
本発明は、上記塗膜剥離用マスキング材において、ラジカル共重合不飽和樹脂に対する重合性不飽和単量体の配合量は、ラジカル共重合性不飽和樹脂と重合性不飽和単量体の合計１００重量部に対して、重合性不飽和単量体が、２０〜７０重量部であることを特徴とする。
【００２１】
本発明は、上記塗膜剥離用マスキング材において、熱硬化性樹脂組成物と揺変性付与剤との配合比は、熱硬化性樹脂組成物と揺変性付与剤の合計１００重量部に対して、揺変性付与剤が０．５重量部〜６重量部であることを特徴とする。
【発明の効果】
【００２２】
本発明によれば、ラジカル共重合性不飽和樹脂と重合性単量体の混合物を主成分とし、混合物は、ラジカル共重合性不飽和樹脂を不飽和ポリエステル樹脂とし重合性単量体をスチレンとした混合物、又はラジカル共重合性不飽和樹脂を不飽和ポリエステル樹脂とし重合性単量体をスチレンと（メタ）アクリル酸系モノマーのブレンドとした混合物、又はラジカル共重合性不飽和樹脂をビニルエステル樹脂とし重合性単量体をスチレンとした混合物、又はラジカル共重合性不飽和樹脂をビニルエステル樹脂とし重合性単量体を（メタ）アクリル酸系モノマーとした混合物、又はラジカル共重合性不飽和樹脂を不飽和ポリエステル樹脂とビニルエステル樹脂のブレンドとし重合性単量体をスチレン若しくは（メタ）アクリル酸系モノマーのいずれかとした混合物、又はラジカル共重合性不飽和樹脂を不飽和ポリエステル樹脂とビニルエステル樹脂のブレンドとし重合性単量体をスチレンと（メタ）アクリル酸系モノマーのブレンドとした混合物であり、硬化物とした場合の破断までの引張り伸び率が、１０％以上の樹脂組成物を、剥離用皮膜として下地基材上に形成して、剥離用皮膜を硬化させ、剥離用皮膜上に塗料堆積物が堆積された後に、下地基材から剥離用皮膜を引き剥がす塗膜の剥離方法としているので、下地基材から容易に塗料堆積物が堆積された剥離用皮膜を剥離することができる効果がある。
【００２３】
本発明によれば、ラジカル共重合性不飽和樹脂と重合性単量体の混合物を主成分とする熱硬化性樹脂組成物であり、混合物が、ラジカル共重合性不飽和樹脂を不飽和ポリエステル樹脂とし重合性単量体をスチレンとした混合物、又はラジカル共重合性不飽和樹脂を不飽和ポリエステル樹脂とし重合性単量体をスチレンと（メタ）アクリル酸系モノマーのブレンドとした混合物、又はラジカル共重合性不飽和樹脂をビニルエステル樹脂とし重合性単量体をスチレンとした混合物、又はラジカル共重合性不飽和樹脂をビニルエステル樹脂とし重合性単量体を（メタ）アクリル系酸モノマーとした混合物、又はラジカル共重合性不飽和樹脂を不飽和ポリエステル樹脂とビニルエステル樹脂のブレンドとし重合性単量体をスチレン若しくは（メタ）アクリル酸系モノマーのいずれかとした混合物、又はラジカル共重合性不飽和樹脂を不飽和ポリエステル樹脂とビニルエステル樹脂のブレンドとし重合性単量体をスチレンと（メタ）アクリル酸系モノマーのブレンドとした混合物であり、硬化剤、硬化促進剤、及び揺変性付与剤が配合されており、硬化物とした場合の破断までの引張り伸び率が、１０％以上である塗膜剥離用マスキング材としているので、マスキング部材上に堆積された塗料堆積物をマスキング部材と共に下地基材から容易に剥離できる効果がある。
【００２４】
本発明によれば、ラジカル共重合性不飽和樹脂と重合性単量体の混合物を主成分とする熱硬化性樹脂組成物であり、混合物が、ラジカル共重合性不飽和樹脂を不飽和ポリエステル樹脂とし重合性単量体をスチレンとした混合物、又はラジカル共重合性不飽和樹脂を不飽和ポリエステル樹脂とし重合性単量体をスチレンと（メタ）アクリル酸系モノマーのブレンドとした混合物、又はラジカル共重合性不飽和樹脂をビニルエステル樹脂とし重合性単量体をスチレンとした混合物、又はラジカル共重合性不飽和樹脂をビニルエステル樹脂とし重合性単量体を（メタ）アクリル酸系モノマーとした混合物、又はラジカル共重合性不飽和樹脂を不飽和ポリエステル樹脂とビニルエステル樹脂のブレンドとし重合性単量体をスチレン若しくは（メタ）アクリル酸系モノマーのいずれかとした混合物、又はラジカル共重合性不飽和樹脂を不飽和ポリエステル樹脂とビニルエステル樹脂のブレンドとし重合性単量体をスチレンと（メタ）アクリル酸系モノマーのブレンドとした混合物であり、硬化剤、硬化促進剤、及び揺変性付与剤が配合されており、硬化物とした場合の破断までの引張り伸び率が、２５％以上である塗膜剥離用マスキング材としているので、マスキング部材上に堆積された塗料堆積物をマスキング部材と共に下地基材から容易に剥離できる効果がある。
【図面の簡単な説明】
【００２５】
【図１】塗料堆積後の断面図である。
【図２】剥離用皮膜の塗布時の断面図である。
【図３】剥離用皮膜の形成後の断面図である。
【図４】剥がししろ接着後の断面図である。
【図５】塗料堆積後の断面図である。
【図６】塗料堆積物への切り込み状況の断面図である。
【発明を実施するための形態】
【００２６】
本発明の実施の形態について図面を参照しながら説明する。
［実施の形態の概要］
本発明の実施の形態に係る塗膜の剥離方法（本剥離方法）は、ラジカル共重合性不飽和樹脂と重合性単量体の混合物を主成分とし、硬化物として破断までの引張り伸び率が、１０％以上の樹脂組成物を剥離用皮膜として、下地基材上（下地基材表面）に形成して硬化させ、その剥離用皮膜上に塗料堆積物が堆積された後に、下地基材から剥離用皮膜を引き剥がすことにより、下地基材から容易に塗料堆積物が堆積された剥離用皮膜を剥離することができるものである。
【００２７】
また、本発明の実施の形態に係る塗膜剥離用マスキング材（本マスキング部材）は、ラジカル共重合性不飽和樹脂と重合性単量体の混合物を主成分とする樹脂組成物であり、硬化剤、硬化促進剤、揺変性付与剤が配合されており、その硬化物として破断までの引張り伸び率が、１０％以上のものを用いるものであり、当該マスキング部材を下地基材上（下地基材表面）に塗布して硬化させることで、マスキング部材上に堆積された塗料堆積物をマスキング部材と共に下地基材から容易に剥離できるものである。
【００２８】
［本剥離方法：図１〜６］
本発明の実施の形態に係る塗膜の剥離方法（本剥離方法）について図１〜図６を参照しながら説明する。図１は、塗料堆積後の断面図であり、図２は、剥離用皮膜の塗布時の断面図であり、図３は、剥離用皮膜の形成後の断面図であり、図４は、剥がししろ接着後の断面図であり、図５は、塗料堆積後の断面図であり、図６は、塗料堆積物への切り込み状況の断面図である。
尚、図１，３が後述する実施例１〜６、図２が実施例１〜７、図４〜６が実施例７に関係している。
【００２９】
［剥離用皮膜、塗料堆積物の形成状態：図１］
下地基材２上に剥離用皮膜１が形成され、その上に塗料堆積物４が形成された状態が図１に示されている。
以下に、剥離用皮膜１、塗料堆積物４の形成方法、更に、剥離用皮膜１の剥離方法を説明する。
尚、図１では、塗料堆積物４を下地基材２上に堆積させたくない場合に、下地基材２と塗料堆積物４の間に剥離用皮膜１を形成するものであるが、下地基材２上に塗料堆積物４を堆積させる場合には、無論、剥離用皮膜１を設けないものである。
【００３０】
［剥離用皮膜の形成：図２，３］
本剥離方法は、図２，３に示すように、下地基材２上にエアスプレーガン、刷毛、ローラー等の塗装器具を使用して常温下で剥離用皮膜１を塗装し、硬化させる。
尚、予め下地基材２に離型剤を塗布することで、より剥離用皮膜１の剥離作業がしやすくできる。
【００３１】
剥離用皮膜（本マスキング部材）１は、具体的には後述するが、ラジカル共重合性不飽和樹脂と重合性単量体の混合物を主成分とする樹脂組成物であり、その硬化物として破断までの引張り伸び率が、１０％以上のものを用いるものである。
【００３２】
また、剥離用皮膜１は、揺変性付与剤を含有し、チクソトロピー性を有するため、塗装時にタレの発生を抑え、均一なつなぎ目のない剥離用皮膜を形成できる。また、剥離用皮膜１に揺変性付与助剤を含有するようにしてもよい。
つまり、耐溶剤性、耐熱性、耐衝撃性に優れた熱硬化性樹脂の硬化物を剥離用皮膜１として用いることで、幅広い焼付け温度の塗料に対応できる。
【００３３】
［剥がししろ接着：図４］
下地基材２上に剥離用皮膜１が形成された状態で、図４に示すように、剥がししろ３を剥離用皮膜１の一部に接着する。剥がししろ３は、剥離用皮膜１、塗料堆積物４とは異種異形材を使用する。
剥がししろ３を両面テープ又は接着剤、粘着剤等で剥離用皮膜１に接着して、後に剥離用皮膜１を下地基材２から剥離する際に、剥がししろ３を引っ張ることで、容易に剥離用皮膜１を剥離できる。
【００３４】
［塗料堆積物の形成：図５］
更に、図５に示すように、剥離用皮膜１上に塗料堆積物４が堆積され、硬化させる。
【００３５】
［塗料堆積物への切り込み：図６］
そして、図６に示すように、塗料堆積物４にハツリ機具等で切り込みを形成し、剥がししろ３を露出させ、剥がししろ３を引っ張ることで、塗料堆積物４が堆積された剥離用皮膜１を下地基材２から剥離する。
【００３６】
［塗膜剥離用マスキング材］
次に、本発明の実施の形態に係る塗膜剥離用マスキング材（本マスキング部材：剥離用皮膜１）について具体的に説明する。
本マスキング部材は、ラジカル共重合性不飽和樹脂と重合性単量体の混合物に揺変性付与剤を添加したものを主成分とする熱硬化性樹脂組成物を使用する。
この樹脂組成物（本樹脂組成物）に、硬化促進剤と硬化剤を配合することで、常温硬化にて皮膜が形成できる。本樹脂組成物は、チクソトロピーを有し、簡易な塗装機具を使用して、常温下で塗装ができる。
【００３７】
本樹脂組成物を用いて、剥離用皮膜（本マスキング部材）１を形成するために、簡易な塗装機具として、エアスプレーガン、刷毛、ローラー等を使用して、０．１ｍｍ以上１．０ｍｍ以下の厚さ、さらに望ましくは、０．３ｍｍ〜１．０ｍｍの厚さに塗装する。
０．１ｍｍ以下の場合、塗膜強度が低く、連続して剥がし難くなり、１．０ｍｍ以上の厚さでは、コスト高になる。
【００３８】
本樹脂組成物は、不飽和ポリエステル樹脂、ビニルエステル樹脂等のラジカル共重合性不飽和樹脂とスチレン、メタアクリル酸等の重合性単量体の混合物を主成分とする樹脂であり、その硬化して破断までの引張り伸び率が、１０％以上のものである。
【００３９】
これより伸び率が低い場合、硬化した皮膜が、硬く脆くなるため、皮膜が割れやすく、容易に堆積塗膜が剥がすことができない。また使用中に熱応力や物理的衝撃で割れてしまうことがある。
【００４０】
本樹脂組成物は、皮膜の形成時にタレや貫通ピンホール等、皮膜の欠陥を防ぐため、揺変性付与剤を含有し、チクソトロピー性を有するように調整する。チクソトロピー性がない場合は、垂れやすく、均一な膜厚が確保できなくなる。
【００４１】
本樹脂組成物は、不飽和ポリエステル樹脂、ビニルエステル樹脂等の常温で硬化するラジカル共重合性不飽和樹脂と重合性単量体を主成分とする。熱硬化性樹脂を使用することで、耐熱性、耐溶剤性、作業性等に優れた剥離用皮膜を得るものである。
【００４２】
［ラジカル共重合性不飽和樹脂］
次に、本樹脂組成物の成分であるラジカル共重合性不飽和樹脂について具体的に説明する。
このラジカル共重合性不飽和樹脂である、不飽和ポリエステル樹脂、ビニルエステル樹脂等の組成は、特に限定されず公知慣用のものが使用できる。
【００４３】
［不飽和ポリエステル樹脂］
ラジカル共重合性不飽和樹脂である、不飽和ポリエステル樹脂の組成は、例えば、α，β−不飽和カルボン酸と多価アルコールとの反応で得られる。α，β−不飽和カルボン酸以外にも飽和カルボン酸を含んでいてもよい。
【００４４】
［α，β−不飽和カルボン酸］
α，β−不飽和カルボン酸としては、例えば、フマル酸、マレイン酸、無水マレイン酸、イタコン酸、シトラコン酸、メサコン酸、クロロマレイン酸、あるいは、これらのジメチルエステル類などが挙げられる。これらのα，β−不飽和カルボン酸はそれぞれ単独で用いてもよいし、２種以上を組み合わせて用いてもよい。
【００４５】
［飽和カルボン酸］
また、飽和カルボン酸としては、例えばフタル酸、無水フタル酸、イソフタル酸、テレフタル酸、ヘット酸、ヘキサヒドロ無水フタル酸、テトラヒドロ無水フタル酸、アジピン酸、セバチン酸、アゼライン酸、テトラブロム無水フタル酸等が挙げられる。これらの飽和カルボン酸はそれぞれ単独で用いてもよいし、２種以上を組み合わせてもよい。
【００４６】
［多価アルコール］
また、多価アルコールとしては、例えば、エチレングリコール、ジエチレングリコール、プロピレングリコール、ジプロピレングリコール、トリメチレングリコール、トリエチレングリコール、１，３−ブタンジオール、１，４−ブタンジオール、２メチル−１，３プロパンジオール、１，６−ヘキサンジオール、シクロヘキサンジオール、ネオペンチルグリコール、２，２，４−トリメチル−１，３−ペンタンジオール、１，４−シクロヘキサンジメタノール、水素化ビスフェノールＡ、水素化ビスフェノールＡ・アルキレンオキサイド付加物等のグリコール類などのジオール類、トリメチロールプロパンなどのトリオール類、ペンタエリスリトールなどのテトラオール類等が挙げられる。
【００４７】
また、樹脂に空気乾燥性を持たせるため、エチレングリコールモノアリルエーテル、ジエチレングリコールモノアリルエーテル、トリエチレングリコールモノアリルエーテル、ポリエチレングリコールモノアリルエーテル、プロピレングリコールモノアリルエーテル、ジプロピレングリコールモノアリルエーテル、トロプロピレングリコールモノアリルエーテル、ポリプロピレングリコールモノアリルエーテル、１，２ブチレングリコールモノアリルエーテル、１，３ブチレングリコールモノアリルエーテル、ヘキシレングリコールモノアリルエーテル、オクレングリコールモノアリルエーテル、トリメチロールプロパンジアリルエーテル、グリセリンジアリルエーテル等のアリルエーテル類も使用される。
これらの多価アルコール類は、それぞれ単独で用いてもよいし、２種以上を組み合わせて用いてもよい。
【００４８】
さらに、臭素化飽和カルボン酸や、ジブロムネオペンチルグリコール等、臭素化グリコール等のハロゲン化物を選択的に使用することで、得られる樹脂組成物を難燃性にすることができる。
【００４９】
さらに、得られた不飽和ポリエステルをグリシジルメタアクリレート、ビスフェノールＡ型エポキシ樹脂等のエポキシ化合物類や、トルエンジイソシアネート、イソプロペニル−ジメチル−ベンジルイソシアネート等のイソシアネート化合物類で変性してもよい。
【００５０】
また、ジシクロペンタジエンを添加し、上記α，β−不飽和カルボン酸、飽和カルボン酸および多価アルコールと共に反応し得られるジシクロペンタジエン系不飽和ポリエステルにしてもよい。
【００５１】
［ビニルエステル樹脂］
次に、ラジカル共重合性不飽和樹脂である、ビニルエステル樹脂の組成について説明する。
ビニルエステル樹脂の組成は、例えば、エポキシ樹脂と不飽和一塩基酸との反応によって得られる反応生成物である。
【００５２】
［エポキシ樹脂］
エポキシ樹脂としては、例えば、フェノール類のグリシジルエーテル類として、ビスフェノールＡ型エポキシ樹脂、ビスフェノールＦ型エポキシ樹脂等のビスフェノール型エポキシ樹脂類とその臭素化樹脂類、フェノールノボラック型エポキシ樹脂とその臭素化樹脂類、クレゾールノボラック型エポキシ樹脂等、ジプロピレングリコールジグリシジルエーテル、トリメチロールプロパントリグリシジルエーテル、ビスフェノールＡのアルキレンオキサイド付加物のジグリシジルエーテル、水素化ビスフェノールＡ・グリシジルエーテル等の多価アルコール類のグリシジルエーテル類、３，４−エポキシ−６−メチルシクロヘキシルメチル−３，４−エポキシ−６−メチルシクロヘキサンカルボキシレート、１−エポキシエチル−３，４−エポキシシクロヘキサン等の脂環式エポキシ樹脂類、フタル酸ジグリシジルエステル、テトラヒドロフタル酸ジグリシジルエステル、ジグリシジル−ｐ−オキシ安息香酸、ダイマー酸グリシジルエステルなどのグリシジルエステル類、テトラグリシジルジアミノジフェニルメタン、テトラグリシジル−ｍ−キシレンジアミン、トリグリシジル−ｐ一アミノフェノール、Ｎ，Ｎ−ジグリシジルアニリンなどのグリシジルアミン類、１，３−ジグリシジル−５，５−ジメチルヒダントイン、トリグリシジルイソシアヌレート等の複素環式エポキシ樹脂等が挙げられる。
また、これらのエポキシ樹脂は単独もしくは２種以上を併用してもよい。
【００５３】
［不飽和一塩基酸］
不飽和一塩基酸としては、例えば、アクリル酸、メタクリル酸、クロトン酸、桂皮酸、アクリル酸ダイマー、モノメチルマレート、モノメチルフマレート、モノシクロヘキシルフマレート、あるいはソルビン酸等が挙げられる。これら酸は単独もしくは、２種以上を併せて用いられる。
【００５４】
さらに、得られたビニルエステル樹脂を無水マレイン酸、無水コハク酸等の酸無水物類、トルエンジイソシアネート、イソプロペニル−ジメチル−ベンジルイソシアネートのようなイソシアネート化合物等で変性してもよい。
【００５５】
本実施の形態で用いられるラジカル共重合性不飽和樹脂である、不飽和ポリエステル樹脂、ビニルエステル樹脂等は、単独あるいは２種類以上併用して使用してもよく、望ましくは、１０％以上の伸び率を有する樹脂を単独あるいは、２種類以上併用し、あるいは、１０％以下の伸び率の樹脂とブレンドして使用することで、耐衝撃性に優れた破断しにくい、引張り伸び率１０％以上の樹脂組成物による剥離用皮膜を得ることができる。
【００５６】
さらに望ましくは、使用樹脂の引張伸び率が、より高伸び率のものを使用して、得られる樹脂組成物の引張り伸び率を２５％以上にすることで、より連続して剥離しやすい剥離用皮膜を得ることができる。
【００５７】
［重合性不飽和単量体］
次に、本樹脂組成物の成分である重合性不飽和単量体について具体的に説明する。
この重合性不飽和単量体として使用できるモノマー成分としては、スチレン系モノマー、（メタ）アクリル酸系モノマー等が挙げられる。スチレン系モノマーとしては、例えば、スチレン、ビニルトルエン（メチルスチレン）、ｐ−メチルスチレン、ｔ−ブチルスチレン、クロルスチレン、ビニルベンジルアルキルエーテル等が挙げられる。
【００５８】
また、（メタ）アクリル酸系モノマーは、例えば、（メタ）アクリル酸、（メタ）アクリル酸ヒドロキシエチル、（メタ）アクリル酸ヒドロキシプロピル、（メタ）アクリル酸ヒドロキシブチル、（メタ）アクリル酸グリシジル、（メタ）アクリル酸グリセリルカーボネート、メタアクリル酸イソシアネートエチル、（メタ）アクリル酸エステル、例えば、（メタ）アクリル酸のメチル、エチル、プロピル、ブチル、シクロヘキシル、ｔ−ブチルシクロヘキシル、ベンジル、フェニル、イソボルニル、ジシクロペンタニル、ステアリル、ベヘニル、トリフルオロエチル等のエステル化合物等の単量体等が挙げられる。
【００５９】
また、ジペンタエリスリトールヘキサアクリレートやトリメチロールプロパントリアクリレート、テトラエチレングリコールジアクリレート、エチレングリコールジメタクリレート等の多官能のアクリル系モノマーや、ジアリルフタレート等のアリル系モノマー等も挙げられる。
【００６０】
［ラジカル共重合不飽和樹脂と重合性不飽和単量体の配合量］
これらの重合性不飽和単量体は、単独あるいは２種類以上を併用して使用しても良く、上記のラジカル共重合不飽和樹脂に対する重合性不飽和単量体の配合量は、特に限定されるものではないが、剥離用皮膜の泡抜け、レベリングなどを考慮すると、ラジカル共重合性不飽和樹脂と重合性不飽和単量体の合計１００重量部に対して重合性不飽和単量体が、２０〜７０重量部の範囲が好ましい。
【００６１】
スチレンは、シックハウスの原因物質として厚生労働省の化学物質室内濃度指針に取り上げられるなど、スチレン以外の重合成不飽和単量体の使用を求められるため、環境配慮材料として、スチレン以外の重合性不飽和単量体を単独あるいは２種類以上を併用して使用することで、環境に配慮することができる。
【００６２】
［揺変性付与剤］
本実施の形態で用いられる樹脂組成物の揺変性付与剤としては、例えば、無水ケイ酸の微粉末（アエロジル）、ホワイトカーボン、アルミナ、ベントナイト、ケイ酸マグネシウム、水素添加ひまし油系、アマイド系、酸化ポリエチレン系、植物油重合油系、界面活性剤系等があり、また、これらを２種以上併用した複合系等が挙げられる。中でも特に、添加量が少量でも揺変性付与性に優れる無水ケイ酸の微粉末（アエロジル）が好ましい。
【００６３】
［揺変性付与助剤］
揺変性付与助剤としては、例えば、モノエチレングリコール、ポリエチレングリコール、グリセリン、ポリヒドロキシカルボン酸アミド、有機４級アンモニウム塩、界面活性剤類、ポリカルボン酸のアマイド等が挙げられる。
【００６４】
［樹脂組成物と揺変性付与剤との配合比］
本実施の形態で用いられる樹脂組成物と揺変性付与剤との配合比は、樹脂組成物と揺変性付与剤の合計１００重量部に対して、該揺変性付与剤が０．５重量部〜６重量部であることが塗布作業性の点から好ましい。
【００６５】
これより揺変性付与剤が少ない場合は、チクソトロピー性が十分でなく剥離用皮膜の形成時にタレが生じやすく、これより揺変性付与剤が多い場合は、粘度が高すぎて塗装し難く、また気泡を巻き込んだ皮膜になる等の塗膜欠陥が生じ易くなることから、塗布作業性と皮膜の状態から、揺変性付与剤の添加量は０．８重量部〜４重量部であることが、特に好ましい。
【００６６】
［空気乾燥性付与剤］
本樹脂組成物の組み合わせによっては、剥離用皮膜１の表面がベタツキを発生してしまうため、皮膜のベタツキ防止が必要な際は、空気乾燥性付与剤を添加することができ、例えば融点温度１００Ｆ以上の石油系パラフィンワックスや石油系パラフィンワックスとヒドロキシポリエステルや極性物質と組み合わせたもの等が挙げられる。
【００６７】
また、中でも空気乾燥性付与剤としては、融点温度１００Ｆ以上の石油系パラフィンワックスの添加が少量でかつ効果的であるが、過剰に添加すると、塗料を塗装する際、ハジキが発生しやすくなるため、その添加量は０．００５重量部〜０．１０重量部にすることが好ましい。
またその融点温度は、使用される条件に合わせて変更することができ、特に限定されるものではなく、一種類のみを用いてもよいし、適宜二種類以上を併用してもよい。
【００６８】
［硬化促進剤］
本樹脂組成物の硬化促進剤としては、公知の酸化還元反応を有する化合物であればよく、特に限定されるものではないが、例えば、ナフテン酸コバルト、オクチル酸コバルト、オクチル酸マンガン等の金属石鹸、コバルトアセチルアセトナート、バナジウムアセチルアセトナート等の金属キレート化合物、ジメチルアニリン、ジメチルトルイジン等のアミン化合物、アセト酢酸エチル、アセチルアセトン等を用いることができる。
【００６９】
これら硬化促進剤は、一種類のみを用いてもよいし、適宜二種類以上を併用して用いてもよい。上記硬化促進剤の使用量は、樹脂組成物の組成や使用する硬化剤あるいは該硬化促進剤の種類等に応じて、用途・環境に適した硬化時間になるように適宜設定されるものであり、特に限定されるものではない。これら硬化促進剤は予め樹脂組成物に含有させておいてもよく、あるいは、硬化剤添加直前に混合してもよい。
【００７０】
［硬化剤］
本樹脂組成物に利用できる硬化剤としては、特に限定されるものではなく、有機過酸化物やアゾ化合物等の従来公知のラジカル重合開始剤を使用することができる。
上記硬化剤のうち、有機過酸化物としては、例えば、メチルエチルケトンパーオキサイド、アセチルアセトンパーオキサイド等のケトンパーオキサイド；クメンハイドロパーオキサイド等のハイドロパーオキサイド；ベンゾイルパーオキサイド等のジアシルパーオキサイド；ジクミルパーオキサイド、ｔ−ブチルグミルパーオキサイド等のジアルキルパーオキサイド；１，１，３，３−テトラメチルブチルパーオキシ−２−エチルヘキサノエート、ｔ−ブチルパーオキシ−２−エチルヘキサノエート、ｔ−ブチルパーオキシベンゾエート等のアルキルパーエステル；ビス（４−ｔ−ブチルシクロヘキシル）パーオキシシカーボネート等のパーカーボネート；等が挙げられる。
【００７１】
また、アゾ化合物としては、例えば、２，２'−アゾビスイソブチロニトリル、２，２'−アゾビス−２−メチルブチロニトリル等が挙げられる。これら硬化剤は、一種類のみを用いてもよいし、適宜二種類以上を併用して用いてもよい。
【００７２】
上記硬化剤の使用量は、用途・使用環境に適した硬化時間になるように適宜設定すればよく、特に限定されるものではない。
【００７３】
［硬化温度］
また、これら硬化剤や硬化促進剤を使用して、樹脂組成物の硬化を行う際の硬化温度は、これら硬化剤や硬化促進剤の種類や添加量あるいはその他の条件により異なり、特に限定されるものではないが、好ましくは５℃以上の条件である。これより低温の場合、硬化時間が長くなる。硬化時間を短縮するには、温風養生などを適宜使用することができる。
【００７４】
［重合禁止剤］
本樹脂組成物に利用できる重合禁止剤としては、特に限定されるものではなく、従来公知の重合禁止剤を用いることができる。
例えば、ハイドロキノン、トリメチルハイドロキノン、p−ｔ−ブチルカテコール、ｔ−ブチルハイドロキノン、トルハイドロキノン、p−ベンゾキノン、ナフトキノン、ハイドロキノンモノメチルエーテル、フェノチアジン、ナフテン酸銅、塩化銅等が挙げられる。
これらの重合禁止剤は、一種のみを用いても良く、また、二種以上を適宜混合して用いても良い。尚、上記重合禁止剤の添加量は、特に限定されるものではなく必要な作業時間に合わせて調整することができる。
【００７５】
［その他の添加剤］
本樹脂組成物は、必要に応じて、ラジカル重合性不飽和樹脂と重合性不飽和単量体、揺変性付与剤、揺変性付与助剤、硬化促進剤、硬化剤、空気乾燥性付与剤以外の成分として、通常用いられる常用の添加剤、例えば、充填剤、着色剤、ホルマリンキャッチャー剤、難燃剤、内部離型剤、可塑剤等を、本発明の効果を阻害しない範囲内で含んでいてもよい。
本樹脂組成物に添加する添加剤については、特に限定されるものではないが従来公知の各種添加剤が使用できる。
【００７６】
［充填剤］
充填剤としては、例えば、水酸化アルミニウム、タルク、珪砂、炭酸カルシウム、酸化アンチモン類、シリカ、有機または無機系の中空バルーン等が上げられる。
［着色剤］
着色剤としては、例えば、有機顔料、無機顔料、染料等が挙げられる。
【００７７】
［ホルマリンキャッチャー剤］
ホルマリンキャッチャー剤としては、例えば、２−イミダゾリジノン、モルホリン、ピペリジン、ピペラジン、ピロリジン等の環式アミン化合物が挙げられる。
その添加量は、ラジカル共重合性不飽和樹脂１００重量部に対して、１重量部〜５重量部の範囲内で用いることが望ましい。これより少ない場合ホルマリン吸着効果が十分に得られない、また多すぎる場合コスト高になる。
【００７８】
［難燃剤］
さらに、樹脂硬化物に難燃性を付与する為に、難燃剤としては、赤燐系化合物、有機リン系化合物、ハロゲン系化合物等、また併用される難燃充填材としては、三酸化アンチモン、塩素化パラフィン、水酸化アルミニウム等が挙げられる。また、樹脂組成物に、ハロゲン化物を含有組成とした、ラジカル重合性不飽和樹脂を使用することで、難燃性能を向上することができる。
【００７９】
［内部離型剤］
内部離型剤としては、フッ素系、シリコーン系、アルキル第４級アンモニウム塩、酸性リン酸エステル、流動パラフィン、ワックス、高級脂肪酸及びその金属塩、高級脂肪酸エステル、高級脂肪族アルコール、ビスアミド類、ポリシロキサン類、脂肪族アミンエチレンオキシド付加物、及びポリエーテル置換基を有するリン酸エステル等が挙げられる。
【００８０】
［可塑剤］
また、可塑剤としては、フタル酸エステル、塩素化パラフィン、リン酸エステル等が挙げられる。
【００８１】
［樹脂組成物の繊維強化］
また、本発明の樹脂組成物を繊維強化して使用する場合に、配合あるいは含浸させる繊維としては、例えば、無機繊維として、ガラス繊維、炭素繊維等、有機繊維として、アミラミド繊維、ポリエステル繊維、ナイロン繊維、ビニロン繊維等を用いることができる。
【００８２】
［熱硬化性樹脂］
さらに、本発明の樹脂組成物には、本発明の効果を損なわない範囲内で、熱硬化性樹脂例えば、ウレタン樹脂、エポキシ樹脂、フェノール樹脂等、熱可塑性樹脂として、ポリスチレン、飽和ポリエステル、酢酸ビニル、アクリル酸系ポリマー、ゴム類等を含んでいてもよい。
【００８３】
［離型剤の塗布］
さらに、本発明の樹脂組成物により形成された、剥離用皮膜１によって、堆積塗膜４の剥離をさらに容易にするために、樹脂組成物塗布前に、ＦＲＰ成型等に使用される、離型剤を塗布してもよい。
冶具やブース等に離型剤だけ塗布した場合、塗料の塗装時にハジキが発生し、周囲を汚染してしまうが、本樹脂組成物にて、剥離用皮膜１を形成することで、塗料のハジキが無い皮膜を形成できる。
離型剤の種類は、特に限定されるものではないが、ＦＲＰ成型に一般に使用される、カルナバロウ系、シリコーン系、フッ素系、ワックス系、ポリビニルアルコール系、合成樹脂系等が挙げられる。
【００８４】
［剥がししろの利用］
さらに、本樹脂組成物により形成された剥離用皮膜１に、板状、管状、環状等の異種異形材料を剥がししろ３として併用することで、さらに容易に堆積塗膜４を剥がすことができる。
つまり、剥離用皮膜１に接着した剥がししろ３を引っ張ることで、堆積塗膜４が堆積された剥離用皮膜１を容易に下地基材２から剥離できる。
【００８５】
この剥がししろ３は、塗料の付着性や耐熱性等に問題がないものとし、特に材質及び、形状、取り付け方法を限定するものではなく、熱可塑性及び熱硬化性樹脂や木、金属等の材質が利用でき、樹脂組成物の塗布前にテープや粘着剤等で塗装冶具等に取り付けてもよいし、樹脂組成物形成後に、テープや接着剤、粘着剤等で貼り付けてもよい。
【００８６】
［実施の形態の効果］
本剥離方法によれば、ラジカル共重合性不飽和樹脂と重合性単量体の混合物を主成分とし、硬化物として破断までの引張り伸び率が、１０％以上の樹脂組成物を剥離用皮膜１として、下地基材２上に形成して硬化させ、その剥離用皮膜１上に塗料堆積物４が堆積された後に、下地基材２から剥離用皮膜１を引き剥がすことにより、下地基材２から容易に塗料堆積物４が堆積された剥離用皮膜１を剥離することができる効果がある。
【００８７】
本マスキング部材によれば、ラジカル共重合性不飽和樹脂と重合性単量体の混合物を主成分とする樹脂組成物であり、硬化剤、硬化促進剤、揺変性付与剤が配合されており、その硬化物として破断までの引張り伸び率が、１０％以上のものを、塗装作業において、予め下塗として、塗装治工具や塗装ブースの壁面等に塗装して剥離用皮膜１として形成しておくものであり、当該マスキング部材を下地基材上に塗布して硬化させることで、マスキング部材（剥離用皮膜１）上に堆積された塗料堆積物４をマスキング部材と共に下地基材２から容易に剥離できる効果がある。
【実施例】
【００８８】
以下に実施例を挙げて以下に本発明を説明するが、本発明はこれら実施例により何ら限定されるものではない。また、以下の文中の「部」は、特に断りのない限り重量基準である。
尚、ラジカル共重合性不飽和樹脂と重合性単量体の混合物としては、一般に販売されている不飽和ポリエステル樹脂、ビニルエステル樹脂等を用いることができる。
【００８９】
［実施例１］
揺変付与剤を含有せず、チクソトロピー性を有さない、熱硬化性ラジカル硬化性樹脂して、引張伸び率３．２％の硬化物物性を持つ、不飽和ポリエステル樹脂Ａ（スチレン含有量４５％）１００重量部に、硬化促進剤として、ナフテン酸コバルト溶液（６％）を０．５重量部、顔料としてトーナーホワイト（商品名：大泰化工（株）製）を３重量部添加することで、粘度５００ｍＰａ・ｓの粘度特性を持ち、硬化物の物性が、引張伸び率３．２％の樹脂組成物Ａを得た。
【００９０】
樹脂組成物Ａ１００重量部に、硬化剤として、パーメックＮ（商品名：日油（株）製）を１．０重量部添加し混合したものを下地基材２として鉄製の角材に、刷毛塗りで塗装し、常温下で硬化させ、膜厚約０．２ｍｍの剥離用皮膜１を得た。
【００９１】
［実施例２］
引張伸び率３．２％の硬化物物性を持つ樹脂Ａ（スチレン含有量４５％）１００重量部に、アエロジル＃２００（商品名：日本アエロジル（株）製）を２．０重量部添加し、ディゾルバー分散したものに、硬化促進剤として、ナフテン酸コバルト溶液（６％）を０．５重量部、粘度調整として、スチレンを１０重量部、顔料として、トーナーホワイト（商品名：大泰化工（株）製）を３重量部添加することで、粘度１５００ｍＰａ・ｓ、揺変度３．４の粘度特性を持ち、硬化物の物性が、引張伸び率３．０％の樹脂組成物Ｂを得た。
【００９２】
樹脂組成物Ｂ１００重量部に硬化剤として、パーメックＮ（商品名：日油（株）製）を１．０重量部添加し混合したものを、下地基材２として鉄製の角材へ刷毛塗りで塗装し、常温下で硬化させ、膜厚約０．５ｍｍの剥離用皮膜１を得た。
【００９３】
［実施例３］
引張伸び率８０％の硬化物物性を持つ樹脂Ｂ（スチレン含有量３８％）５０重量部と引張伸び率３．２％の硬化物物性を持つ樹脂Ａ（スチレン含有量４５％）５０重量部をブレンドして、引張伸び率１２％の硬化物物性を持つ樹脂Ｃを得た。
樹脂Ｃ１００重量部に、アエロジル＃２００（商品名：日本アエロジル（株）製）を２．０重量部添加し、ディゾルバー分散したものに、硬化促進剤として、ナフテン酸コバルト溶液（６％）を０．５重量部、粘度調整として、スチレンを１０重量部、顔料として、トーナーホワイト（商品名：大泰化工（株）製）を３重量部添加することで、粘度１６００ｍＰａ・ｓ、揺変度３．６の粘度特性を持ち、硬化物の物性が、引張伸び率１０％の樹脂組成物Ｃを得た。
【００９４】
樹脂組成物Ｃ１００重量部に硬化剤として、パーメックＮ（商品名：日油（株）製）を１．０重量部添加し混合したものを、下地基材２として鉄製の角材へ刷毛塗りで塗装し、常温下で硬化させ、膜厚約０．５ｍｍの剥離用皮膜１を得た。
【００９５】
［実施例４］
引張伸び率８０％の硬化物物性を持つ樹脂Ｂ（スチレン含有量３８％）７０重量部と引張伸び率３．２％の硬化物物性を持つ樹脂Ａ（スチレン含有量４５％）３０重量部をブレンドして、引張伸び率２７％の硬化物物性を持つ樹脂Ｄを得た。
樹脂Ｄ１００重量部に、アエロジル＃２００（商品名：日本アエロジル（株）製）を２．０重量部添加し、ディゾルバー分散したものに、硬化促進剤として、ナフテン酸コバルト溶液（６％）を０．５重量部、粘度調整として、スチレンを９重量部、顔料として、トーナーホワイト（商品名：大泰化工（株）製）を３重量部添加することで、粘度１５００ｍＰａ・ｓ、揺変度３．４の粘度特性を持ち、硬化物の物性が、引張伸び率２５％の樹脂組成物Ｄを得た。
【００９６】
樹脂組成物Ｄ１００重量部に硬化剤として、パーメックＮ（商品名：日油（株）製）を１．０重量部添加し混合したものを、下地基材２として鉄製の角材へ刷毛塗りで塗装し、常温下で硬化させ、膜厚約０．５ｍｍの剥離用皮膜１を得た。
【００９７】
［実施例５］
引張伸び率８０％の硬化物物性を持つ樹脂Ｂ（スチレン含有量３８％）１００重量部に、アエロジル＃２００（商品名：日本アエロジル（株）製）を２．０重量部添加し、ディゾルバー分散したものに、硬化促進剤として、ナフテン酸コバルト溶液（６％）を０．５重量部、粘度調整として、スチレンを９重量部、顔料として、トーナーホワイト（商品名：大泰化工（株）製）を３重量部添加することで、粘度１５５０ｍＰａ・ｓ、揺変度３．６の粘度特性を持ち、硬化物の物性が、引張伸び率７６％の樹脂組成物Ｅを得た。
【００９８】
樹脂組成物Ｅ１００重量部に硬化剤として、パーメックＮ（商品名：日油（株）製）を１．０重量部添加し混合したものを、下地基材２として鉄製の角材へ刷毛塗りで塗装し、常温下で硬化させ、膜厚約０．５ｍｍの剥離用皮膜１を得た。
【００９９】
［実施例６］
実施例４の樹脂組成物Ｅを塗布する前に、ワックス系離型剤ミラーグレースＮｏ８（商品名：マグワィアー社製）を下地基材２として鉄製の角材へ塗布し、拭き取り処理を行う。その後樹脂組成物Ｅ１００部に硬化剤として、パーメックＮ（商品名：日油（株）製）を１．０重量部添加し混合したものを、刷毛塗りで塗装し、常温下で硬化させ、膜厚約０．５ｍｍの剥離用皮膜１を得た。
【０１００】
［実施例７］
実施例４と同様の手順で得られた剥離用皮膜１に、剥がししろ３として異種材料のポリエチレン製のＬ字板を面の一部に両面テープで貼り付け、異種異形材料の剥がししろ３が一体化した剥離用皮膜１を得た（図３参照）。
【０１０１】
実施例１〜７で得られた剥離用皮膜１付き下地基材２に、２成分型アクリルウレタン塗料として、ウレタン＃５５００  ホワイト及びブラック（商品名：大泰化工（株）製）をそれぞれ数十回塗り重ねて、硬化させ、約５ｍｍ厚の堆積塗膜４を得た。
【０１０２】
［表１：実施例１〜５の樹脂組成物の配合、液状性状、硬化物の引張物性］
表１に実施例１〜５の樹脂組成物の配合及び、液状性状、硬化物の引張物性を示す。
【０１０３】
【表１】
0005657420.tif 000002
【０１０４】
実施例１〜５の硬化物物性の測定方法は、ＪＩＳ  Ｋ７１１３に、粘度・揺変度の測定方法は、ＪＩＳ  Ｋ６９０１  ５．５  ５．６に準ずる。
【０１０５】
［表２：実施例１〜５の塗装性、剥離性等］
表２に実施例１〜５に対する評価結果と比較例１として下地基材２である鉄製の角材に、実施例１〜５と同様に直接塗料を塗装したものを合わせて示す。
【０１０６】
実施例１では、揺変特性が無い為、垂れやすく、垂直面では剥離用皮膜１の形成が困難で、結果的に０．２ｍｍ程度の膜厚しか得られなかった。
実施例２〜５は、揺変付与剤を添加して、チクソトロピー性を持たしたものである。粘度特性により、塗装時に垂れ難く、均一なつなぎ目の無い０．５ｍｍ程度の剥離用皮膜１が容易に得られた。
【０１０７】
実施例１〜５において、樹脂組成物の硬化調整は、気温に合わせて、硬化剤と硬化促進剤の添加量を調整する等で、容易にコントロールが可能である。
本実施例においては、室温２５℃下にて、３時間後に硬化した皮膜が得られた。
【０１０８】
耐衝撃性試験として、鉄製ハンマーにて、打撃試験を行った。伸び率の低い実施例１と
実施例２は、容易に割れが発生して飛び散ってしまったが、実施例３は、打撃の衝撃で部分的にひび割れが発生したものの、容易に皮膜が剥離するには至らなかった。実施例４及び実施例５は、衝撃で打痕が付くものの、ひび割れや剥離等の不具合の発生が無かった。
【０１０９】
塗料保持性として、実際に塗料のハジキ、タレ落ち等確認したが、比較例１及び、実施例１〜５で特に問題は見られなかった。
【０１１０】
堆積塗膜の剥離方法として、ケレン・ハツリ機具として、ディスクグラインダーを使用した。塗装前に未処理の比較例１では、塗料が密着しているため、容易に剥がすことはできず、堆積塗膜４を除去するには、ディスクグラインダーで削り取る必要があった。
【０１１１】
実施例１〜５の剥離では、ケレン・ハツリ機具として、ディスクグラインダーを使用した。伸び率の低い実施例１及び実施例２は、下地基材２に剥離用皮膜１が密着していないので、容易に剥離用皮膜１が下地基材２から浮くが、皮膜が硬く脆いため、衝撃で堆積塗膜４と一緒に割れてしまい、連続性の無い小さな剥離片になり周囲に飛び散ってしまった。そのため堆積塗膜は容易に剥がすことができなかった。
【０１１２】
実施例３及び実施例４、実施例５は、同様に容易に剥離用皮膜１が浮き、連続して剥がすことができるが、実施例３では、まだ剥離用皮膜１の柔軟性が不足しているため頻繁に堆積塗膜３と一緒に割れてしまった。実施例５及び実施例６では、剥離用皮膜１の柔軟性が十分にあり、堆積塗膜３を連続して剥がすことが可能であった。
【０１１３】
【表２】
0005657420.tif 000003
【０１１４】
［表３：実施例４，６，７の堆積塗膜の剥離性］
実施例４及び実施例６、実施例７における堆積塗膜４の剥離性の比較結果を表３に示す。
【０１１５】
実施例３、実施例４、実施例６及び実施例７の堆積塗膜４の剥離性を比較した。
実施例３、実施例４及び実施例６では、堆積塗膜４の表面が均一のため、剥がし始める場所の特定が無く、また実施例３では、皮膜が割れやすく連続して剥がせなかった。
【０１１６】
実施例７では、剥がししろ３を起点にハツリ機具にて堆積塗膜４を切断し剥がし始めることができる為、剥離作業が非常に容易になった（図６参照）。
【０１１７】
実施例６では、実施例４と比較して、離型剤の作用により、剥離用皮膜１が浮きやすいため、連続して堆積皮膜４が剥がしやすくなった。
【０１１８】
【表３】
0005657420.tif 000004
【０１１９】
未処理状態の比較例１、実施例１、実施例２と比較して、堆積塗膜４の剥離に関して、実施例３〜７の樹脂組成物による剥離用皮膜１を予め形成することで、堆積塗膜４を容易に剥がすことができるようになった。
【産業上の利用可能性】
【０１２０】
本発明は、堆積塗膜を容易に剥離することができる塗膜の剥離方法及び塗膜剥離用マスキング材に好適である。
【符号の説明】
【０１２１】
１...剥離用皮膜、  ２...下地基材（鉄製角材）、  ３...剥がししろ、  ４...堆積塗膜、  ５...ハツリ機具（ディスクサンダー）、  ６...塗装機具（スプレー、ローラー刷毛）
【図１】
0005657420.tif 000005
【図２】
0005657420.tif 000006
【図３】
0005657420.tif 000007
【図４】
0005657420.tif 000008
【図５】
0005657420.tif 000009
【図６】
0005657420.tif 000010